【手続補正書】
【提出日】平成19年10月30日(2007.10.30)
【手続補正１】
【補正対象書類名】明細書
【補正対象項目名】特許請求の範囲
【補正方法】変更
【補正の内容】
【特許請求の範囲】
【請求項１】  密閉キャビティを形成する容器本体を備え、前記容器本体は上端及び下端を有し、前記容器本体の下端は、前記キャビティ内に上方に延びている隆起した中央領域を有する、細かい粉末を保持するための容器。
【請求項２】  前記容器本体は、前記隆起した中央領域と組み合わせて前記キャビティ内でほぼ半ドーナツ形状を形成する少なくとも一つの湾曲した壁をさらに備えた請求項１に記載の容器。
【請求項３】  前記下端の一部分は平坦な形状である請求項１に記載の容器。
【請求項４】  前記容器本体は、前記キャビティから延びているタブをさらに有する請求項１に記載の容器。
【請求項５】  前記上端内に中央穴と、複数のベントと、前記穴及び前記ベントを覆うように取り外し可能に前記上端に取り付けられたカバーとをさらに備えた請求項１に記載の容器。
【請求項６】  上端と、下端と、粉末を含むキャビティとを有する容器を設ける段階と、
取出管の下端が前記容器の下端の上方に離間するように前記取出管の下端を前記キャビティ内に挿入する段階と、
少なくとも一つのベントを前記キャビティ内に形成する段階と、
前記キャビティの前記下端内で穴を形成する段階と、
前記容器の下端内の穴、及び空気を前記ベントを通して吸引するように前記取出管の少なくとも一部、及び前記取出管内に前記キャビティ内に前記粉末を移動させるように前記キャビティを通して気体流れを流し、エアロゾルを形成するように前記粉末が高圧気体流れに伴出される、粉末をエアロゾル化する方法。
【請求項７】  前記容器の下端は、前記キャビティ内で上方に延びている隆起した中央領域を有し、前記取出管の前記下端が前記隆起した中央領域から離間するように前記取出管を前記隆起した中央領域に整列する段階を備えた請求項６に記載の方法。
【請求項８】  捕捉室内でエアロゾル化された粉末を捕捉する段階をさらに備えた請求項６に記載の方法。
【請求項９】  前記粉末を除去するために空気が前記キャビティのほぼ全てを通して吸引されるように前記キャビティの周縁周りで前記容器の上端内に複数のベントを形成する段階をさらに備えた請求項６に記載の方法。
【請求項１０】  前記空気流れが前記キャビティを通して流れる時に前記キャビティ内で渦を形成するように前記キャビティ内で延びている前記容器本体の上端内にタブを形成する段階をさらに備えた請求項６に記載の方法。
【請求項１１】  前記空気流れを形成するために患者が吸入する段階をさらに備えた請求項６に記載の方法。
【請求項１２】  気体流れを形成するために一定量の圧縮気体を解放する段階をさらに備えた請求項６に記載の方法。
【請求項１３】  密閉キャビティを形成する容器本体を備えた容器であって、前記容器本体は上端及び下端を有し、前記容器本体の下端は、前記キャビティ内で上方に延びている隆起した中央領域を有する、容器を設ける段階と、
前記取出管の下端が前記隆起した中央領域と整列されかつ前記容器の下端の上方に離間するように、取出管の下端を前記キャビティ内に挿入する段階と、
前記キャビティの周縁周りに前記容器の上端においてベントを形成する段階と、
空気を前記ベントを吸引するように、前記取出管の少なくとも一部分を通して気体流れを流し、前記キャビティ内の粉末を前記取出管内に移動させるように前記キャビティを通して気体流れを流し、エアロゾルを形成するように前記粉末は気体流れ内で伴出される、粉末状の薬をエアロゾル化する方法。
【請求項１４】  前記容器は湾曲した壁を有し、前記容器からほぼ全ての粉末を除去するように前記空気は前記壁に沿って流れる請求項１３に記載の方法。
【請求項１５】  前記気体流れによって吸引された空気は流れ領域を通して流れ、前記容器を通した空気の流れを加速するために前記空気が前記容器及び前記取出管を通して流れる時に前記流れ領域を低減する段階をさらに備えた請求項１３に記載の方法。
【請求項１６】  前記ベントは第一流れ領域を形成し、前記取出管と前記容器の前記下端の間の隙間は、第二流れ領域を形成し、前記取出管の断面は第三の流れ領域を形成し、前記第一流れ領域は前記第二流れ領域よりも大きく、前記第二流れ領域は前記第三流れ領域よりも大きい請求項１５に記載の方法。
【請求項１７】  前記第一流れ領域と前記第二流れ領域と前記第三流れ領域の比は、約２．０対１．５対１．０である請求項１６に記載の方法。
【請求項１８】  前記容器の上端を通して穴を穿孔し、前記上端内の穴を通して前記キャビティ内に前記取出管を挿入する段階をさらに備えた請求項１３に記載の方法。
【請求項１９】  前記取出管の下端から離間した位置において前記気体流れを前記取出管内に導入する段階をさらに備えた請求項１３に記載の方法。
【請求項２０】  前記容器本体の下端において穴を形成し、前記下端内に前記穴を通して前記気体流れを流す段階をさらに備えた請求項１３に記載の方法。
【請求項２１】  前記気体流れを形成するように患者が吸入する段階をさらに備えた請求項１３に記載の方法。
【請求項２２】  前記気体流れを形成するように一定量の圧縮気体を解放する段階をさらに備えた請求項１３に記載の方法。
【請求項２３】  密閉キャビティを形成する容器本体を備えた容器であって、前記容器本体は上端及び下端を有する、容器を設ける段階と、
取出管の下端が前記容器の下端の上方に離間するように、前記取出管の下端を前記キャビティ内に挿入する段階と、
前記キャビティの周縁周りで前記容器の上端にベントを形成する段階と、
前記ベントを通して空気を吸引するように前記取出管の少なくとも一部分を通して気体流れを流し、前記キャビティ内の粉末を前記取出管内に移動させるように前記キャビティを通して気体流れを流し、エアロゾルを形成するように前記粉末が前記気体流れ内で伴出され、前記気体流れによって吸引される空気は、流れ領域を通して流れる段階と、前記容器を通した空気の流れを加速するように前記空気が前記容器及び前記取出管を通して流れる時に前記流れ領域を低減する段階をさらに備えた、粉末状の薬をエアロゾル化する方法。
【請求項２４】  前記気体流れを形成するように患者が吸入する段階をさらに備えた請求項２３に記載の方法。
【請求項２５】  前記気体流れを形成するように一定量の圧縮気体を解放する段階をさらに備えた請求項２３に記載の方法。
【請求項２６】  前記ベントは第一流れ領域を形成し、前記取出管と前記容器の前記下端の間の隙間は、第二流れ領域を形成し、前記取出管の断面は第三の流れ領域を形成し、前記第一流れ領域は前記第二流れ領域よりも大きく、前記第二流れ領域は前記第三流れ領域よりも大きい請求項２３に記載の方法。
【請求項２７】  前記容器は湾曲した壁をさらに備え、前記容器本体の下端は、前記壁に沿ってほぼ層流を形成するように前記キャビティ内において上方に延びている隆起した中央領域を有する請求項２３に記載の方法。
【請求項２８】  粉末を保持するキャビティを有する容器を受容するホルダを有するハウジングと
前記容器の下端内に穴を穿孔する穿孔機構と、
前記容器の上端内に複数のベントを形成するベント形成機構と、
前記容器の前記下端の上方に離間しかつ前記下端内の前記穴と整列されるように、前記キャビティ内に配置された取出管とを備えた、粉末状の薬をエアロゾル化する装置。
【請求項２９】  前記粉末を前記キャビティから前記取出管内へ吸引するように、前記容器の前記下端の穴を通って前記取出管内へ流れる気体流れを患者が形成することができ、前記粉末が前記気体流れの中に伴出されるように、患者の口を受容するように前記ハウジングに連結されたマウスピースをさらに備えた請求項２８に記載の装置。
【請求項３０】  前記容器に関する前記取出管の間隔を制御するように流れインサートをさらに備えた請求項２８に記載の装置。
【請求項３１】  密閉キャビティを形成する容器本体を備えた少なくとも一つの容器であって、前記容器本体は上端及び下端を有し、前記容器本体の下端は、前記キャビティ内に上方に延びている隆起した中央領域を有する、容器と、
前記容器を保持するためのホルダと、前記キャビティ内に挿入可能な取出管と、前記キャビティの周縁周りで前記容器の上端内に複数のべントを形成するためのベント形成装置とを有するエアロゾル化装置とを備えた、粉末状薬をエアロゾル化システム。
【請求項３２】  前記キャビティから前記取出管内へ前記粉末を移動させるように、前記ベントを通して空気を吸引するように、前記取出管の少なくとも一部分内で高圧気体流れを形成するための圧力源をさらに備え、前記粉末が前記高圧気体流れ内で伴出されてエアロゾルを形成する請求項３１に記載のシステム。
【請求項３３】  前記容器に関する前記取出管の間隔を制御するための流れインサートをさらに備えた請求項３２に記載のシステム。
【請求項３４】  前記容器の前記下端の一部分は平坦な形状である請求項３２に記載のシステム。
【請求項３５】  粉末を保持する密閉キャビティを形成し、かつ上端及び下端を有する少なくとも一つの容器と、
前記容器を保持するホルダと、
前記キャビティ内に挿入可能である取出管と、
前記容器の上端内にベントを形成するためのベント形成装置とを備え、前記ベントは第一流れ領域を形成し、前記取出管と前記容器の下端の間の間隙は第二流れ領域を形成し、前記取出管の断面は第三流れ領域を形成し、前記ホルダは、前記第一流れ領域が前記第二流れ領域よりも大きいように、前記取出管の下端に関して前記容器を移動させるように構成され、前記容器を通して流れる気体を加速させるように前記第二流れ領域は前記第三流れ領域よりも大きい、粉末取り出しシステム。
【請求項３６】  前記キャビティから前記取出管内へ移動させるように前記ベントを通して空気を吸引するように、前記取出管の少なくとも一部分内で高圧気体流れを形成するための圧力源をさらに備え、前記粉末は、前記高圧気体流れ内で伴出されてエアロゾルを形成する請求項３５に記載のシステム。
【請求項３７】  前記容器は湾曲した壁を有し、前記容器の前記下端は、前記キャビティ内で上方に延びている隆起した中央領域を有する請求項３６に記載のシステム。